(57)【要約】【課題】筋肉の増強や筋肉維持が図れる衣類において、必要部位に有効な負荷を付与できるようにして十分満足し得る所期作用効果が得られるようにする。【解決手段】大腿付け根の外側面から大腿部７正面を経て膝頭直上を膝内側へ抜け膝頭まわりを回り込むように下向きに向きを変えつつ膝頭直下を膝外側へと抜ける第１サポータ帯１５と、大腿付け根の外側面から大腿部７裏面、大腿部７内側面及び大腿部７正面を経て膝頭直上を膝外側へと抜け膝頭まわりを回り込むように下向きに向きを変えつつ膝頭直下を膝内側へと抜ける第２サポータ帯１６とを有し、膝頭の直上及び直下に両サポータ帯１５，１６によるベルト交叉部２１，２２が形成されている。【選択図】図１
2007100239.tif 000002
【特許請求の範囲】
【請求項１】
ウエスト部（５）から股部（６）までにわたる身頃本体（２）と、この身頃本体（２）の股部（６）両脇から大腿部（７）を経て少なくとも膝下部（８ｂ）へ及ぶ左右一対の脚用袖（３）とを有し、
身頃本体（２）のウエスト部（５）と左右の各脚用袖（３）の膝下部（８ｂ）との間にその全長にわたってベルト状に連続し且つ長手方向に沿って脚用袖（３）よりも強い伸縮性を有した２本の第１サポータ帯（１５）及び第２サポータ帯（１６）が設けられており、
左右の各脚用袖（３）において第１サポータ帯（１５）は大腿付け根の外側面から大腿部（７）正面を経て膝頭直上を膝内側へ抜け膝頭まわりを回り込むように下向きに向きを変えつつ膝頭直下を膝外側へと抜ける内ねじれカーブを有し、
第２サポータ帯（１６）は大腿付け根の外側面から大腿部（７）裏面、大腿部（７）内側面及び大腿部（７）正面を螺旋状に経て膝頭直上を膝外側へと抜け膝頭まわりを回り込むように下向きに向きを変えつつ膝頭直下を膝内側へと抜ける外ねじれカーブを有しており、
膝頭の直上及び直下に第１、第２サポータ帯（１５，１６）が互いに交叉したベルト交叉部（２１，２２）が形成されていることを特徴とするサポータ付き衣類。
【請求項２】
前記第２サポータ帯（１６）は、大腿付け根の外側面から大腿部（７）裏面を経て大腿部（７）内側面へ至る部分で、着用者のヒップ部下縁に沿ったヒップカーブ（２５）を有していることを特徴とする請求項１記載のサポータ付き衣類。
【請求項３】
前記第１サポータ帯（１５）と第２サポータ帯（１６）は、大腿付け根外側面で互いに交叉したベルト交叉部（２０）を形成させ、第１サポータ帯（１５）は当該ベルト交叉部（２０）の上側を身頃本体（２）のウエスト部（５）における外側面後寄り位置へ達するものとされ、第２サポータ帯（１６）は上記ベルト交叉部（２０）の上側を身頃本体（２）のウエスト部（５）における外側面前寄り位置へ達するものとされていることを特徴とする請求項１又は請求項２記載のサポータ付き衣類。
【請求項４】
ウエスト部（５）から股部（６）までにわたる身頃本体（２）と、この身頃本体（２）の股部（６）両脇から大腿部（７）、膝部（８）、脛部（９）を経て足首部（１０）に設けられた裾口（１１）までにわたる左右一対の脚用袖（３）とを有し、
身頃本体（２）のウエスト部（５）と左右の各脚用袖（３）の足首部（１０）との間にその全長にわたってベルト状に連続し且つ長手方向に沿って脚用袖（３）よりも強い伸縮性を有した２本の第１サポータ帯（１５）及び第２サポータ帯（１６）が設けられており、
左右の各脚用袖（３）において第１サポータ帯（１５）は大腿部（７）正面から膝頭直上を膝内側へ抜け膝頭まわりを回り込むように下向きに向きを変えつつ膝頭直下を膝外側へと抜け且つ脛部（９）の外側面を経て脹ら脛部（９ａ）の裏面へと至る内ねじれカーブを有し、
第２サポータ帯（１６）は大腿部（７）正面から膝頭直上を膝外側へと抜け膝頭まわりを回り込むように下向きに向きを変えつつ膝頭直下を膝内側へと抜け且つ脛部（９ａ）の内側面を経て脹ら脛部（９ａ）の裏面へと至る外ねじれカーブを有しており、
膝頭の直上及び直下に第１、第２サポータ帯（１６）が互いに交叉したベルト交叉部（２１，２２）が形成されていることを特徴とするサポータ付き衣類。
【請求項５】
前記第１サポータ帯（１５）及び第２サポータ帯（１６）は、脚用袖（３）の脹ら脛部（９ａ）裏面から足首部（１０）裏面中央を裾口（１１）まで直線状に達するものとされ、この足首部（１０）裏面中央では第１サポータ帯（１５）と第２サポータ帯（１６）とが重合した二重サポータ部（２３）が形成されていることを特徴とする請求項４記載のサポータ付き衣類。
【請求項６】
ウエスト部（５）から股部（６）までにわたる身頃本体（２）と、この身頃本体（２）の股部（６）両脇から大腿部（７）を経て少なくとも膝上部（８ａ）へ及ぶ左右一対の脚用袖（３）とを有し、
身頃本体（２）のウエスト部（５）と左右の各脚用袖（３）の膝上部（８ａ）との間にその全長にわたってベルト状に連続し且つ長手方向に沿って脚用袖（３）よりも強い伸縮性を有した２本の第１サポータ帯（１５）及び第２サポータ帯（１６）が設けられており、
左右の各脚用袖（３）において第１サポータ帯（１５）は大腿付け根の外側面から大腿部（７）正面を経て膝頭直上を膝内側へ抜ける内ねじれカーブを有し、
第２サポータ帯（１６）は大腿付け根の外側面から大腿部（７）裏面、大腿部（７）内側面及び大腿部（７）正面を螺旋状に経て膝頭直上を膝外側へと抜ける外ねじれカーブを有しており、
膝頭の直上に第１、第２サポータ帯（１６）が互いに交叉したベルト交叉部（２１，２２）が形成されていることを特徴とするサポータ付き衣類。
【請求項７】
前記第１サポータ帯（１５）及び第２サポータ帯（１６）の伸長率は２０〜５０％とされていることを特徴とする請求項１乃至請求項６のいずれかに記載のサポータ付き衣類。
【請求項８】
前記第１サポータ帯（１５）及び第２サポータ帯（１６）は、身頃本体（２）及び脚用袖（３）に対して縫着によって設けられていることを特徴とする請求項１乃至請求項７のいずれかに記載のサポータ付き衣類。
【請求項９】
前記第１サポータ帯（１５）及び第２サポータ帯（１６）は、身頃本体（２）及び脚用袖（３）に対して接着によって設けられていることを特徴とする請求項１乃至請求項８のいずれかに記載のサポータ付き衣類。
【発明の詳細な説明】
【技術分野】
【０００１】
本発明は、タイツ、ボディスーツ、トレーニングスーツなど、下半身を覆う部位を有した衣類であって、筋肉増強乃至筋肉維持（衰退防止）を図ることができるようにしたサポータ付き衣類に関するものである。
【背景技術】
【０００２】
従来、腰から下へ着用する衣類として、着用して普通に生活するだけで、所定箇所の筋力増強に役立つようにしたものが知られている（例えば、特許文献１等参照）。この種の衣類では、筋肉の増強が主目的であるために、増強しようとする筋肉箇所（例えば腰部の正面や背面、大腿の付け根まわり一周、大腿の正面や背面、膝下部の正面や背面等）へ、細帯状の強伸縮部を集中させ、Ｘ字状の交叉部が形成されるようにしてある。
なお、これとは別に、所定の筋肉や関節、筋などにテーピング効果（障害予防、応急処置、リハビリ等）を生じさせるようにした衣類も知られている（例えば、特許文献２等参照）。この種の衣類では、テーピング効果の生起が主目的であるために、不安箇所や故障個所（例えば大腿の外側面、大腿の裏面、脹ら脛の内外両側面、脹ら脛の裏面といった、膝頭を除く広い面積）を覆うように、緊締力（伸縮性）を有した生地が設けられている。
【特許文献１】特開２００２−２１２８１４号公報
【特許文献２】特公平６−４１６４１号公報
【発明の開示】
【発明が解決しようとする課題】
【０００３】
筋力増強目的の衣類とテーピング目的の衣類とでは、伸縮力の顕著な生地を部分的に設けるという点では同じであるが、それらの目的の違いから、自ずと伸縮力（負荷）を生じさせる箇所や程度が異なり、外観的な類似性だけでそれらの作用効果を同等視することはできない。テーピング目的の衣類（特許文献２等）ではその作用効果の一つとして保温性を唄ったものも見受けられるが、この点一つを見ても、むしろ通気性を重視する傾向の筋力増強目的の衣類とは異質な技術であることの議論を待たない。
筋力増強目的の衣類（特許文献１等）において、鍛えたい筋肉に合わせ、この筋肉を覆うような配置で強伸縮部を設けた例（大腿裏面の大腿二頭筋や脹ら脛の腓腹筋など）が挙げられているが、このような配置では、この衣類を着用している間中、仮にじっとしているときでも筋肉に負荷が生じることになる。従って、場合によっては負荷が邪魔になり、疲労の原因になってしまうということが予測される。
【０００４】
逆に、鍛えたい筋肉上を斜めに横切るような配置で強伸縮部を設けた例（大腿正面の大腿四頭筋など）が挙げられているが、単に横切るだけの配置であるため、大腿の太さが変化するような動作でなければ、この強伸縮部によって有効な負荷を生じさせることはできない状態にある。
また強伸縮部でＸ字状の交叉部を形成させると、この部分の中央には菱形の非伸縮部が形成されることになり、即ち、この非伸縮部では負荷を生じさせることができない筈であるが、このような強伸縮部のＸ字状交叉部（非伸縮部）を、わざわざ鍛えたい筋肉上に位置付けた例が挙げられていることには、甚だ疑問を持たざるを得ない。
【０００５】
このようなことから、従来公知の、筋力増強目的の衣類では、鍛えたい筋肉とそれに対応した負荷位置との関係が正確に解明されたうえで強伸縮部の配置が決められていた、とは到底言えず、この種衣類を着用したからといって必ずしも筋肉増強作用が得られるとは言えない。むしろ、上記した理由により、着用者は単に疲労を重ねるだけであろうと推察できる。
本発明は、上記事情に鑑みてなされたものであって、筋肉増強のみならず筋肉維持（衰退防止）を図るうえで、必要部位に有効な負荷を付与できるようにして十分満足し得る所期作用効果が得られるようにしたサポータ付き衣類を提供することを目的とする。
【課題を解決するための手段】
【０００６】
前記目的を達成するために、本発明は次の手段を講じた。
即ち、本発明に係るサポータ付き衣類は、ウエスト部から股部までにわたる身頃本体と、この身頃本体の股部両脇から大腿部を経て少なくとも膝下部へ及ぶ左右一対の脚用袖とを有したもので、身頃本体のウエスト部と左右の各脚用袖の膝下部との間には、その全長にわたってベルト状に連続し、且つ長手方向に沿って脚用袖よりも強い伸縮性を有した２本の第１サポータ帯及び第２サポータ帯が設けられている。
左右の各脚用袖において、第１サポータ帯は、大腿付け根の外側面から大腿部正面を経て膝頭直上を膝内側へ抜け膝頭まわりを回り込むように下向きに向きを変えつつ、膝頭直下を膝外側へと抜ける内ねじれカーブを有したものとされている。また第２サポータ帯は、大腿付け根の外側面から大腿部裏面、大腿部内側面及び大腿部正面を螺旋状に経て膝頭直上を膝外側へと抜け膝頭まわりを回り込むように下向きに向きを変えつつ、膝頭直下を膝内側へと抜ける外ねじれカーブを有したものとされている。そしてこれらにより、膝頭の直上及び直下に第１、第２サポータ帯が互いに交叉したベルト交叉部が形成されたものとなっている。
【０００７】
このように身頃本体のウエスト部と左右の各脚用袖の膝下部との間に設けられる第１、第２サポータ帯は、膝頭の直上及び直下にてベルト交叉部を形成させており、これらのベルト交叉部と、大腿付け根の外側面とをそれぞれ基点（支え点）として、それらの間で伸縮性を生じさせるようにしたものである。そのため、このサポータ付き衣類を着用した状態で着用者が下半身の屈伸運動をした場合、このベルト交叉部と大腿付け根の外側面との間、すなわち、着用者の大腿に対応させた部分で有効な負荷を生じさせることができる。
また、殊に第２サポータ帯は、大腿付け根の外側面から大腿部裏面、大腿部内側面及び大腿部正面へと至るように設けられ、この部分は、着用者の大腿まわりで螺旋を描くように巻き付いた部分であるから、大腿二頭筋など、大腿の裏面に対して有効な負荷を生じさせることができる。
【０００８】
なお、上記ベルト交叉部は、第１、第２サポータ帯が膝頭まわりを回り込むようになって形成されたものであることから、膝の曲げ動作を容易にし、屈伸運動にとって邪魔となることはない。また、これらベルト交叉部で膝の左右両側を均等に拘束するような張力が作用するため、着用者が屈伸運動を行っても脚用袖の着用状態にねじれ（左右方向の位置ズレ）が起こることが防止され、負荷の効果に確実性が得られる。
第２サポータ帯は、大腿付け根の外側面から大腿部裏面を経て大腿部内側面へ至る部分で、着用者のヒップ部下縁に沿ったヒップカーブを有したものとすることができる。これにより、このサポータ付き衣類を着用した状態で着用者が下半身の屈伸運動をした場合、大殿筋に対応する部分で有効な負荷を生じさせることができる。
【０００９】
第１サポータ帯と第２サポータ帯は、大腿付け根外側面で互いに交叉したベルト交叉部を形成させ、第１サポータ帯は当該ベルト交叉部の上側を身頃本体のウエスト部における外側面後寄り位置へ達するものとし、第２サポータ帯は上記ベルト交叉部の上側を身頃本体のウエスト部における外側面前寄り位置へ達するものとするのが好適である。
このようにすることで、大腿付け根の外側面での第１、第２サポータ帯の基点（支え点）を、より安定させることができる。
脚用袖は、膝部から更に脛部、及びこの脛部を経て足首部に設けられた裾口までにわたるものとして形成することが可能であり、第１サポータ帯及び第２サポータ帯は、身頃本体のウエスト部と左右の各脚用袖の足首部との間にその全長にわたって設けるようにすることができる。この場合、第１サポータ帯は、脛部の外側面を経て脹ら脛部裏面へと至るものとし、また第２サポータ帯は、脛部の内側面を経て脹ら脛部裏面へと至るものとすればよい。
【００１０】
このようにすることで、このサポータ付き衣類を着用した状態で着用者が下半身の屈伸運動をした場合、着用者の脛に対応する部分にも有効な負荷を生じさせることができる。
なお、第１サポータ帯及び第２サポータ帯は、脚用袖の脹ら脛部裏面から足首部裏面中央を裾口まで直線状に達するものとして、この足首部裏面中央では、第１サポータ帯と第２サポータ帯とを重合させることによる二重サポータ部を形成させるのが好適である。
このように二重サポータ部は、第１サポータ帯単独の他の部位や第２サポータ帯単独の他の部位に比べ、その伸縮力が２倍に強力化したものとなるから、このサポータ付き衣類を着用した状態で着用者が下半身の屈伸運動をした場合、脹ら脛や足首などに対応する部分で、殊に有効な負荷を生じさせることができる。
【００１１】
第１サポータ帯及び第２サポータ帯の伸長率は２０〜５０％とするのが好適である。２０％より小さい値であると伸縮パワーが強すぎて過負荷状態となり、またこのサポータ付き衣類を着用したり脱いだりする行為そのものが面倒になるおそれがある。逆に５０％より大きな値であると伸縮パワーが弱すぎて負荷不足になる。なお伸長率は、幅１００ｍｍ、長さ２００ｍｍの試料を９．８１Ｎの定荷重で伸長させたときに、伸長前の無負荷時に比してどの程度伸びるかの割合である。
第１サポータ帯及び第２サポータ帯は、身頃本体及び脚用袖に対して縫着によって設けても、接着によって設けてもよい。
【発明の効果】
【００１２】
本発明に係るサポータ付き衣類は、筋肉の増強のみならず筋肉維持（衰退防止）を図るうえで、必要部位に有効な負荷を付与でき、十分満足し得る所期作用効果が得られる。
【発明を実施するための最良の形態】
【００１３】
以下、本発明の実施の形態を、図面に基づき説明する。
図１乃至図４は、本発明に係るサポータ付き衣類１をタイツとして適用した一実施形態を示している。このサポータ付き衣類１は身頃本体２と左右一対の脚用袖３とを有したもので、身頃本体２はウエスト部５から股部６までにわたる部分として形成され、左右の各脚用袖３は、身頃本体２における股部６の両脇（脚入れ用の左右一対の開口が設けられている部分）から大腿部７、膝８、脛部９を経て足首部１０へ及ぶ部分として形成されている。この足首部１０の先端には裾口１１が形成されている。
【００１４】
これら身頃本体２や左右の脚用袖３は、例えば、４４〜１６０デシテックスのポリウレタン繊維を４４〜１３３デシテックスのナイロン糸やポリエステル糸、綿糸などと一緒に編み込んだ伸縮性編地によって形成されている。伸長率は１００〜２００％とされている。この伸長率は、幅１００ｍｍ、長さ２００ｍｍの試料を９．８１Ｎの定荷重で伸長させたときに、伸長前の無負荷時に比してどの程度伸びるかの割合である。
身頃本体２のウエスト部５と左右の各脚用袖３の足首部１０との間には、その全長にわたって２本の第１サポータ帯１５及び第２サポータ帯１６が、縫着又は接着によって設けられている。これら第１サポータ帯１５及び第２サポータ帯１６は、いずれも連続するベルト状とされ、それらの長手方向に沿って脚用袖３よりも強い伸縮性を有した生地によって形成されている。
【００１５】
第１サポータ帯１５及び第２サポータ帯１６は、例えば、７８〜２６７デシテックスのポリウレタン繊維を４４〜１３３デシテックスのポリウレタン繊維を４４〜１３３デシテックスのナイロン糸やポリエステル糸、綿糸などと一緒に編み込んだ伸縮性編地によって形成されている。これら第１サポータ帯１５及び第２サポータ帯１６の伸長率は２０〜５０％とされている。
第１サポータ帯１５及び第２サポータ帯１６の伸長率が２０％より小さい値であると伸縮パワーが強すぎて過負荷状態となり、またこのサポータ付き衣類を着用したり脱いだりする行為そのものが面倒になるおそれがある。逆に５０％より大きな値であると伸縮パワーが弱すぎて負荷不足になる。
【００１６】
第１サポータ帯１５は、その上端部が身頃本体２のウエスト部５における外側面後寄り位置に位置付けられており、そこから左右の各脚用袖３における大腿部７の付け根の外側面へと向かうように設けられている。また、大腿部７における付け根の外側面から大腿部７の正面を経て、膝部８における膝頭の直上を膝内側へ抜け、膝頭まわりを回り込むように下向きに向きを変えて膝頭の直下を膝外側へと抜け、更に、脛部９の外側面を経て脹ら脛部９ａの裏面へと至るような内ねじれカーブを有している。脹ら脛部９ａの裏面から先（下方）は、足首部１０の裏面中央を裾口１１まで直線状に達するようになっている。
【００１７】
これに対し、第２サポータ帯１６は、その上端部が身頃本体２のウエスト部５における外側面前寄り位置に位置付けられており、そこから左右の各脚用袖３における大腿部７の付け根の外側面へと向かうように設けられている。また、大腿部７における付け根の外側面から大腿部７の裏面を経た後、大腿部７の内側面及び大腿部７の正面を螺旋状に経、膝部８における膝頭の直上を膝外側へと抜け、膝頭まわりを回り込むように下向きに向きを変えて膝頭の直下を膝内側へと抜け、更に、脛部９の内側面を経て脹ら脛部９ａの裏面へと至るような外ねじれカーブを有している。
【００１８】
脹ら脛部９ａの裏面から先（下方）は、第１サポータ１５と同様に、足首部１０の裏面中央を裾口１１まで直線状に達するようになっている。なお、この第２サポータ帯１６は、大腿部７における付け根の外側面から大腿部７の裏面を経て大腿部７の内側面へ至る部分で、着用者のヒップ部下縁に沿ったヒップカーブ２５を形成するようになっている。
これら第１サポータ帯１５及び第２サポータ帯１６は、大腿部７における付け根の外側面で互いに交叉したベルト交叉部２０を形成させていると共に、膝部８における膝頭の直上及び直下で互いに交叉したベルト交叉部２１，２２を形成させている。
【００１９】
更にこれら第１サポータ帯１５及び第２サポータ帯１６は、脹ら脛部９ａの裏面から足首部１０の裏面中央を裾口１１まで直線状に達する部分において、互いが重合した二重サポータ部２３を形成させている。
このような構成を具備したサポータ付き衣類１において、第１サポータ帯１５及び第２サポータ帯１６は、大腿部７の付け根外側面に形成されたベルト交叉部２０により、着用者の腰部周辺に対応してここを覆うような位置付けを確立させた状態に安定し、また膝頭直上に形成されたベルト交叉部２１や膝頭直下に形成されたベルト交叉部２２により、着用者の膝に対応した位置付けを確立させた状態で安定している。
【００２０】
すなわち、ベルト交叉部２０が上位側基点（支え点）となり、ベルト交叉部２１，２２が下位側基点（支え点）となるため、このサポータ付き衣類１を着用した状態で着用者が下半身の屈伸運動をすると、これら上位置のベルト交叉部２０と下位置のベルト交叉部２１，２２の上下間、すなわち、身頃本体２のウエスト部５と左右の各脚用袖３の膝部８との間で強力な引っ張りを受けることになり、着用者の大腿四頭筋（大腿直筋・外側広筋・内側広筋・中間広直筋）をはじめ、縫工筋など、主に大腿の正面に対して有効な負荷を生じさせるようになる。
【００２１】
しかも、このとき第２サポータ帯１６は、大腿部７における付け根の外側面から大腿部７の裏面を経て大腿部７の内側面へ至る部分で形成されたヒップカーブ２５が強力な引っ張りを受けることになるので、着用者の大殿筋などに対しても有効な負荷を生じさせるようになる。
更にまた第２サポータ帯１６は、このヒップカーブ２５から大腿部７の正面へと至る部分が着用者の大腿まわりで螺旋状に巻き付いており、この部分が強力な引っ張りを受けることになるので、着用者の大腿二頭筋など、大腿の裏面に対しても有効な負荷を生じさせるようになる。
【００２２】
なお、膝頭直上のベルト交叉部２１や膝頭直下のベルト交叉部２２は、第１サポータ帯１５及び第２サポータ帯１６が膝頭まわりを回り込むようにして形成されたものであることから、着用者の膝の曲げ動作を妨げることはなく、着用者は容易に屈伸運動が行える。また、これらベルト交叉部２１，２２で膝８の左右両側を均等に拘束するような張力が作用するため、着用者が屈伸運動を行っても脚用袖３の着用状態にねじれ（左右方向の位置ズレ）が起こることが防止され、負荷の効果に確実性が得られる。
第１サポータ帯１５及び第２サポータ帯１６は、脹ら脛部９ａの裏面から足首部１０の裏面中央を裾口１１まで達する部分に形成された二重サポータ部２３で、その伸縮力が２倍に強力化されているので、着用者の腓腹筋、短腓骨筋、長腓骨筋、ひらめ筋、前頸骨筋など、主に脛周辺の脹ら脛や足首などに対して有効な負荷を生じさせるようになる。
【００２３】
このように、大腿周辺の筋肉や大殿筋など、大きな筋肉に対して有効な負荷を生じさせ、鍛えることは基礎代謝の低下を防止するうえで非常に効果的となり、また適正箇所の筋肉を適度に押圧乃至圧迫することで、活動量が促され、よりよい効果が得られるものとなる。
【実施例】
【００２４】
身頃本体２及び左右の脚用袖３にエステルベア天（ポリエステル８４Ｔとポリウレタン１００Ｔによる天竺編）を用い、第１サポータ帯１５及び第２サポータ帯１６にパワーネット（ナイロンとポリウレタンによるラッセル編）を用いたサポータ付き衣類１について、体格及び体重が略同じ健康な成人男性６名による着用実験を行った。
脚用袖３による大腿直筋への着用平均圧（第１、第２サポータ帯１５，１６の無い位置）は立位時６．６ｈｐａ脚上げ時６．１ｈｐａであり、ベルト交叉部２１による膝頭直上への着用平均圧は立位時６．３ｈｐａ脚上げ時１２．３ｈｐａであり、ベルト交叉部２２による膝頭直下への着用平均圧は立位時１１．２ｈｐａ脚上げ時１９．１ｈｐａであり、二重サポータ部２３による腓腹筋への着用平均圧は立位時１６．４ｈｐａ脚上げ時２０．６ｈｐａであり、身頃本体２による大殿筋への着用平均圧（第１、第２サポータ帯１５，１６の無い位置）は立位時３．４ｈｐａ脚上げ時７．７ｈｐａであり、第２サポータ帯１６ヒップカーブ２５による大殿筋への着用平均圧は立位時８．３ｈｐａ脚上げ時１５．１ｈｐａであった。
【００２５】
実験期間は３週間にわたる毎日、午前９時から午後４時までの連続着用とし、実験内容は、足首にウエイトを付けてこれを後ろ向きに持ち上げていられる時間（筋持久時間）をストップウォッチで計測すると共に、そのときの酸素摂取量を呼気ガス代謝モニターで計測し、日ごとの変化を観察する方法を採用した。ウエイトは、実験初日に計測した各人の最大筋力の５０％になるように設定した。
実験の結果、筋持久時間は実験初日に約２５０秒（平均値）であったのが日ごとに長くなり、実験終了日には３７０秒を超えるまで（平均値）に伸びる結果が得られた。また酸素摂取量については実験初日に３．５ｍｌ／ｍｉｎ／ｋｇ（平均値）であったのが日ごとに増えて、実験終了日には４．２ｍｌ／ｍｉｎ／ｋｇを上回るまで（平均値）に増加する結果が得られた。
【００２６】
これらは、筋肉の代謝量が増え、筋肉増強乃至筋肉維持（衰退防止）が図られていることを裏付けている。
ところで、本発明は、上記実施形態に限定されるものではなく、実施の形態に応じて適宜変更可能である。
脚用袖３は、膝上部までの長さとしたり、膝下部までの長さとしたり、七分丈としたりすることも可能である。これらにより、第１サポータ帯１５及び第２サポータ帯１６を設ける範囲を適宜選択し、必要箇所、或いは所望箇所に限定した筋力維持や筋肉増強に役立てるようにすることができる。
【００２７】
第１サポータ帯１５及び第２サポータ帯１６の帯幅寸法は限定されるものではない。また第１サポータ帯１５及び第２サポータ帯１６はそれらの全長にわたって一定帯幅である必要もなく、部分的に広幅化したり細幅化したりすることも可能である。
【図面の簡単な説明】
【００２８】
【図１】本発明に係るサポータ付き衣類の一実施形態を示した斜視図である。
【図２】図１のサポータ付き衣類の正面図である。
【図３】図２に対応する右側面図である。
【図４】図２に対応する背面図である。
【符号の説明】
【００２９】
１  サポータ付き衣類
２  身頃本体
３  脚用袖
５  ウエスト部
６  股部
７  大腿部
８  膝部
８ａ  膝上部
８ｂ  膝下部
９ａ  脹ら脛部
１０  足首部
１１  裾口
１５  第１サポータ帯
１６  第２サポータ帯
２０  ベルト交叉部（大腿付け根外側面）
２１  ベルト交叉部（膝頭直上）
２２  ベルト交叉部（膝頭直下）
２３  二重サポータ部
２５  ヒップカーブ
【図１】
2007100239.tif 000003
【図２】
2007100239.tif 000004
【図３】
2007100239.tif 000005
【図４】
2007100239.tif 000006